【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて通信する方法であって、
ブロック確認応答が要求されたという指示とゼロよりも大きい断片数との両方をデータフレームが備えると決定することと、
前記決定することに基づいて、ビットマップを備えるブロック確認応答フレームを生成することと、前記ビットマップは前記データフレームの複数の断片の受信と前記データフレームのスクランブラシードの少なくとも一部から導出されるブロック確認応答識別子とを示し、
前記ブロック確認応答フレームを送信することと、
を備える、方法。
【請求項２】
前記ブロック確認応答フレームを生成することは、物理レイヤヘッダ中に前記ブロック確認応答フレームの１つまたは複数のフィールドを含めることを備える、請求項１に記載の方法。
【請求項３】
前記ブロック確認応答フレームは、前記ブロック確認応答フレームが圧縮ブロック確認応答フレームタイプであることを示す確認応答モードフィールドをさらに備える、請求項１に記載の方法。
【請求項４】
前記ブロック確認応答フレームは前記ブロック確認応答の開始シーケンス番号をさらに備える、請求項１に記載の方法。
【請求項５】
前記ブロック確認応答の前記開始シーケンス番号は、前記データフレームのシーケンス番号である、請求項４に記載の方法。
【請求項６】
前記ブロック確認応答の前記開始シーケンス番号は、前記データフレームのシーケンス番号の最下位ビットのグループである、請求項４に記載の方法。
【請求項７】
前記ブロック確認応答フレームは、前記データフレームのシーケンス番号の最上位ビットのグループを含むブロック確認応答識別子をさらに備える、請求項１に記載の方法。
【請求項８】
前記ブロック確認応答フレームは、前記データフレームの第１の断片のスクランブラシードから導出されるブロック確認応答識別子をさらに備える、請求項１に記載の方法。
【請求項９】
前記ブロック確認応答フレームは、前記ブロック確認応答フレームが送られているブロックの第１のパケットから導出されるブロック確認応答識別子をさらに備える、請求項１に記載の方法。
【請求項１０】
前記ブロック確認応答フレームは、ブロック確認応答要求フレームから導出されるブロック確認応答識別子をさらに備える、請求項１に記載の方法。
【請求項１１】
前記ブロック確認応答フレームは、前記ブロック確認応答フレームが送られているブロックの第１のパケットのスクランブラシードフィールドから導出されるブロック確認応答識別子をさらに備える、請求項１に記載の方法。
【請求項１２】
前記ブロック確認応答フレームは、前記ブロック確認応答フレームが送られているアグリゲートされたパケットのスクランブラシードから導出されるブロック確認応答識別子をさらに備える、請求項１に記載の方法。
【請求項１３】
ブロック確認応答が要求されたという指示とゼロよりも大きい断片数との両方をデータフレームが備えると決定することと、
前記決定に基づいて、ビットマップを備えるブロック確認応答フレームを生成することと、前記ビットマップは前記データフレームの複数の断片の受信と前記データフレームのスクランブラシードの少なくとも一部から導出されるブロック確認応答識別子とを示し、
を行うように構成されたプロセッサと、
前記ブロック確認応答フレームを送信するように構成された送信機と、
を備える、ワイヤレスデバイス。
【請求項１４】
前記ブロック確認応答フレームを生成することは、物理レイヤヘッダ中に前記ブロック確認応答フレームの１つまたは複数のフィールドを含めることを備える、請求項１３に記載のワイヤレスデバイス。
【請求項１５】
前記ブロック確認応答フレームは、前記ブロック確認応答フレームが圧縮ブロック確認応答フレームタイプであることを示す確認応答モードフィールドをさらに備える、請求項１３に記載のワイヤレスデバイス。
【請求項１６】
前記ブロック確認応答フレームは前記ブロック確認応答の開始シーケンス番号をさらに備える、請求項１３に記載のワイヤレスデバイス。
【請求項１７】
前記ブロック確認応答の前記開始シーケンス番号は、前記データフレームのシーケンス番号である、請求項１６に記載のワイヤレスデバイス。
【請求項１８】
前記ブロック確認応答の前記開始シーケンス番号は、前記データフレームのシーケンス番号の最下位ビットのグループである、請求項１６に記載のワイヤレスデバイス。
【請求項１９】
前記ブロック確認応答フレームは、前記データフレームのシーケンス番号の最上位ビットのグループを含むブロック確認応答識別子をさらに備える、請求項１３に記載のワイヤレスデバイス。
【請求項２０】
前記ブロック確認応答フレームは、前記データフレームの第１の断片のスクランブラシードから導出されるブロック確認応答識別子をさらに備える、請求項１３に記載のワイヤレスデバイス。
【請求項２１】
前記ブロック確認応答フレームは、前記ブロック確認応答フレームが送られているブロックの第１のパケットから導出されるブロック確認応答識別子をさらに備える、請求項１３に記載のワイヤレスデバイス。
【請求項２２】
前記ブロック確認応答フレームは、ブロック確認応答要求フレームから導出されるブロック確認応答識別子をさらに備える、請求項１３に記載のワイヤレスデバイス。
【請求項２３】
前記ブロック確認応答フレームは、前記ブロック確認応答フレームが送られているブロックの第１のパケットのスクランブラシードフィールドから導出されるブロック確認応答識別子をさらに備える、請求項１３に記載のワイヤレスデバイス。
【請求項２４】
前記ブロック確認応答フレームは、前記ブロック確認応答フレームが送られているアグリゲートされたパケットのスクランブラシードから導出されるブロック確認応答識別子をさらに備える、請求項１３に記載のワイヤレスデバイス。
【請求項２５】
ブロック確認応答が要求されたという指示とゼロよりも大きい断片数との両方をデータフレームが備えると決定するための手段と、
前記決定に基づいて、ビットマップを備えるブロック確認応答フレームを生成するための手段と、前記ビットマップは前記データフレームの複数の断片の受信と前記データフレームのスクランブラシードの少なくとも一部から導出されるブロック確認応答識別子とを示し、
前記ブロック確認応答フレームを送信するための手段と、
を備える、ワイヤレスデバイス。
【請求項２６】
前記ブロック確認応答フレームを生成することは、物理レイヤヘッダ中に前記ブロック確認応答フレームの１つまたは複数のフィールドを含めることを備える、請求項２５に記載のワイヤレスデバイス。
【請求項２７】
前記ブロック確認応答フレームは、前記ブロック確認応答フレームが圧縮ブロック確認応答フレームタイプであることを示す確認応答モードフィールドをさらに備える、請求項２５に記載のワイヤレスデバイス。
【請求項２８】
前記ブロック確認応答フレームは前記ブロック確認応答の開始シーケンス番号をさらに備える、請求項２５に記載のワイヤレスデバイス。
【請求項２９】
前記ブロック確認応答の前記開始シーケンス番号は、前記データフレームのシーケンス番号である、請求項２８に記載のワイヤレスデバイス。
【請求項３０】
前記ブロック確認応答の前記開始シーケンス番号は、前記データフレームのシーケンス番号の最下位ビットのグループである、請求項２８に記載のワイヤレスデバイス。
【請求項３１】
前記ブロック確認応答フレームは、前記データフレームのシーケンス番号の最上位ビットのグループを含むブロック確認応答識別子をさらに備える、請求項２５に記載のワイヤレスデバイス。
【請求項３２】
前記ブロック確認応答フレームは、前記データフレームの第１の断片のスクランブラシードから導出されるブロック確認応答識別子をさらに備える、請求項２５に記載のワイヤレスデバイス。
【請求項３３】
前記ブロック確認応答フレームは、前記ブロック確認応答フレームが送られているブロックの第１のパケットから導出されるブロック確認応答識別子をさらに備える、請求項２５に記載のワイヤレスデバイス。
【請求項３４】
前記ブロック確認応答フレームは、ブロック確認応答要求フレームから導出されるブロック確認応答識別子をさらに備える、請求項２５に記載のワイヤレスデバイス。
【請求項３５】
前記ブロック確認応答フレームは、前記ブロック確認応答フレームが送られているブロックの第１のパケットのスクランブラシードフィールドから導出されるブロック確認応答識別子をさらに備える、請求項２５に記載のワイヤレスデバイス。
【請求項３６】
前記ブロック確認応答フレームは、前記ブロック確認応答フレームが送られているアグリゲートされたパケットのスクランブラシードから導出されるブロック確認応答識別子をさらに備える、請求項２５に記載のワイヤレスデバイス。
【請求項３７】
実行されたとき、装置に、
ブロック確認応答が要求されたという指示とゼロよりも大きい断片数との両方をデータフレームが備えると決定することと、
前記決定に基づいて、ビットマップを備えるブロック確認応答フレームを生成することと、前記ビットマップは前記データフレームの複数の断片の受信と前記データフレームのスクランブラシードの少なくとも一部から導出されるブロック確認応答識別子とを示し、
前記ブロック確認応答フレームを送信することと、
を行わせるコードを備える非一時的コンピュータ可読媒体。
【請求項３８】
前記ブロック確認応答フレームを生成することは、物理レイヤヘッダ中に前記ブロック確認応答フレームの１つまたは複数のフィールドを含めることを備える、請求項３７に記載のコンピュータ可読媒体。
【請求項３９】
前記ブロック確認応答フレームは、前記ブロック確認応答フレームが圧縮ブロック確認応答フレームタイプであることを示す確認応答モードフィールドをさらに備える、請求項３７に記載のコンピュータ可読媒体。
【請求項４０】
前記ブロック確認応答フレームは、前記圧縮ブロック確認応答の開始シーケンス番号をさらに備える、請求項３７に記載のコンピュータ可読媒体。
【請求項４１】
前記ブロック確認応答の前記開始シーケンス番号は、前記データフレームのシーケンス番号である、請求項４０に記載のコンピュータ可読媒体。
【請求項４２】
前記ブロック確認応答の前記開始シーケンス番号は、前記データフレームのシーケンス番号の最下位ビットのグループである、請求項４０に記載のコンピュータ可読媒体。
【請求項４３】
前記ブロック確認応答フレームは、前記データフレームのシーケンス番号の最上位ビットのグループを含むブロック確認応答識別子をさらに備える、請求項３７に記載のコンピュータ可読媒体。
【請求項４４】
前記ブロック確認応答フレームは、前記データフレームの第１の断片のスクランブラシードから導出されるブロック確認応答識別子をさらに備える、請求項３７に記載のコンピュータ可読媒体。
【請求項４５】
前記ブロック確認応答フレームは、前記ブロック確認応答フレームが送られているブロックの第１のパケットから導出されるブロック確認応答識別子をさらに備える、請求項３７に記載のコンピュータ可読媒体。
【請求項４６】
前記ブロック確認応答フレームは、ブロック確認応答要求フレームから導出されるブロック確認応答識別子をさらに備える、請求項３７に記載のコンピュータ可読媒体。
【請求項４７】
前記ブロック確認応答フレームは、前記ブロック確認応答フレームが送られているブロックの第１のパケットのスクランブラシードフィールドから導出されるブロック確認応答識別子をさらに備える、請求項３７に記載のコンピュータ可読媒体。
【請求項４８】
前記ブロック確認応答フレームは、前記ブロック確認応答フレームが送られているアグリゲートされたパケットのスクランブラシードから導出されるブロック確認応答識別子をさらに備える、請求項３７に記載のコンピュータ可読媒体。